(57)【要約】【課題】拡散板を用いることなく、輝度の低下および輝度斑の少ない照明を行う表示器構造を提供する。  【解決手段】意匠または文字で表される表示部１１１が光を透過する素材で形成されている表示板１１０と、表示板１１０の背面側に設けられた基板１４０と、基板１４０上に設けられ、表示板１１０の背面側から表示部１１１の照明を行う光源１５０と、表示板１１０と基板１４０との間に設けられ光源１５０の周囲を囲む遮光壁１２０とを備えた表示器１００の構造であって、表示板１１０に水平な方向において遮光壁１２０が囲む面積が、基板１４０から表示板１１０に向かうに従い次第に小さくなる。【選択図】図１
2008116876.tif 000002
【特許請求の範囲】
【請求項１】
意匠または文字で表される表示部が光を透過する素材で形成されている表示板と、
前記表示板の背面側に設けられた基板と、
前記基板上に設けられ、前記表示板の背面側から前記表示部の照明を行う光源と、
前記表示板と前記基板との間に設けられ前記光源の周囲を囲む遮光壁と、
を備えた表示器構造であって、
前記表示板に水平な方向において前記遮光壁が囲む面積が、前記基板から前記表示板に向かうに従い次第に小さくなることを特徴とする表示器構造。
【請求項２】
前記遮光壁に囲まれた前記基板に、光の反射率の高い塗料が塗布されていることを特徴とする請求項１に記載の表示器構造。
【発明の詳細な説明】
【技術分野】
【０００１】
本発明は、表示器構造に関するものである。
【背景技術】
【０００２】
一般に、車両のインストルメントパネルには、エアコンやオーディオ等の操作を行うために、多数のスイッチや計器が設けられている。このようなスイッチや計器では、スイッチや計器の機能を表現した意匠や文字が光を透過する素材で形成されており、夜間でも意匠や文字が識別可能なように背面側から照明が施される表示器を備えているのが一般的である。このような表示器においては、光源の真上とその周囲とでできるだけ輝度斑をなくすために、光源の周囲の遮光壁は、光源からの光ができるだけ広がるように、光源から表示部に向かって遮光壁により囲まれる面積が次第に広くなるように傾斜して設定される（特許文献１参照）。また、光源からの光を拡散板を用いて効率よく拡散させる表示器も提案されている（図３参照）。
【特許文献１】特開２００５―７０５００公報
【発明の開示】
【発明が解決しようとする課題】
【０００３】
しかしながら、このような表示器では、光を拡散させているため、輝度の低下を招いてしまう、と言う問題点がある。
【０００４】
本発明の課題は、拡散板を用いることなく、輝度の低下および輝度斑の少ない照明を行う表示器構造を提供する。
【課題を解決するための手段】
【０００５】
上記課題を解決するために、請求項１に記載の発明は、意匠または文字で表される表示部が光を透過する素材で形成されている表示板と、前記表示板の背面側に設けられた基板と、前記基板上に設けられ、前記表示板の背面側から前記表示部の照明を行う光源と、前記表示板と前記基板との間に設けられ前記光源の周囲を囲む遮光壁と、を備えた表示器構造であって、前記表示板に水平な方向において前記遮光壁が囲む面積が、前記基板から前記表示板に向かうに従い次第に小さくなることを特徴としている。
【０００６】
上記構成によれば、拡散板を用いることなく、輝度の低下および輝度斑の少ない照明を行うことができる。
【０００７】
また、請求項２に記載の発明は、請求項１に記載の表示器構造において、前記遮光壁に囲まれた前記基板に、光の反射率の高い塗料が塗布されていることを特徴としている。
【０００８】
上記構成によれば、輝度の低下がさらに少ない照明を行うことができる。
【発明の効果】
【０００９】
拡散板を用いることなく、輝度の低下および輝度斑の少ない照明を行う表示器構造を実現する。
【発明を実施するための最良の形態】
【００１０】
以下、本発明の実施形態を図面に従って説明する。
【００１１】
図１に、本発明の実施形態の表示器構造の外観図を示す。
【００１２】
表示器１００は、表示板１１０、遮光壁１２０、側壁１３０、基板１４０、光源１５０を備えている。
【００１３】
表示板１１０は、その略中央部に光を透過する素材で意匠または文字（図１では意匠）が設けられ、所定の内容を表示する。以下、意匠または文字が設けられた部分を表示部１１１と呼ぶ。
【００１４】
遮光壁１２０は、表示板１１０と基板１４０との間に、表示部１１１の背面側と後述する光源１５０とを囲むように設置されている。この遮光壁１２０は、光源１５０の光を外に漏らさないようにするとともに、光源１５０の光を集めて表示部１１１の照明の輝度の低下を抑える役割を果たしている。
【００１５】
側壁１３０は、表示板１１０と基板１４０の周囲を囲むように設けられている。
【００１６】
基板１４０は、側壁１３０を挟んで表示板１１０と向き合うように設けられている。
【００１７】
光源１５０は、表示板１１０の背面側から表示部１１１の照明を行うための光源で、表示部１１１の直下の基板１４０上に設けられている。ここでは、光源１５０は、発光ダイオード（ＬＥＤ）であるものとする。
【００１８】
ここで、遮光壁１２０は、表示部１１１の背面側の周囲を面積Ｓ１の矩形ＳＴで取り囲み、光源１５０の周囲を面積Ｓ２（＞Ｓ１）の矩形ＳＢで取り囲んでいおり、遮光壁１２０は、表示板１１０に水平な方向において、遮光壁１２０が囲む面積が、基板１４０から表示板１１０に向かうに従い次第に小さくなるように傾斜する状態となっている。
【００１９】
この遮光壁１２０の形状により、光源１５０の光が拡散することなく表示部１１１に集められるため、光源１５０による照明の輝度の低下を抑えることができる。
【００２０】
また、光源１５０の反射光が遮光壁１２０により集められるため、表示部１１１において直接光と反射光の輝度差が少なくなり、拡散板を用いることなく輝度斑を抑えることができる。
【００２１】
また矩形ＳＢの内部は、白色に塗装され、光の反射率を高めている。これにより、表示部１１１における照明の輝度の低下をさらに抑えることができる。
【実施例１】
【００２２】
図２に、本発明の実施例1の表示器構造の外観図を示す。
【００２３】
本実施例では、前述した実施形態に対し、遮光壁１２１の形状が異なるだけで、他の部分は同一のため、遮光壁１２１についてのみ説明を行う。
【００２４】
遮光壁１２１は、表示部１１１の周囲を表示部１１１の形状ＩＣ（面積Ｓ３）に沿って取り囲み、光源１５０の周囲を面積Ｓ２（＞Ｓ３）の矩形ＳＢで取り囲んでいる。このため、遮光壁１２１は、表示板１１０に水平な方向において、遮光壁１２１が囲む面積が、基板１４０から表示板１１０に向かうに従い次第に小さくなるように傾斜する状態となっている。なお、遮光壁１２１は、表示板１１０側の断面積形状が表示部１１１の形状を有し、基板１４０側の断面積形状が矩形ＳＢの形状を有している。このため、遮光壁１２１の壁面は、図２に示すように、壁面１２１ａ〜１２１ｉの複数の平面を組み合わせて構成される。なお、この平面を曲面で構成しても良い。
【００２５】
以上のように、本発明の実施形態のスイッチ構造では、拡散板を用いることなく、輝度の低下および輝度斑の少ない照明を行うことができる。
【００２６】
以上、本発明の実施形態および実施例を図面により詳述したが、これらは本発明の例示にしか過ぎず、本発明はこれらの構成にのみ限定されるものではない。したがって本発明の要旨を逸脱しない範囲の設計の変更等があっても本発明に含まれることはもちろんである。
【００２７】
例えば、遮光壁１２０の形状は、表示部１１１の意匠に合わせて、光源１５０からの光ができるだけ集まるように、光源１５０から表示部１１１に向かって遮光壁により囲まれる面積が次第に狭くなるように傾斜して設定すれば、どのような形状であっても良い。
【００２８】
また、光源１５０の数や大きさは、実施形態に示したものに限られるものではなく、任意の数や大きさを用いることが出来る。
【００２９】
また、照明の光源１５０は発光ダイオード（ＬＥＤ）に限らず、どのような光源１５０を用いても良い。
【図面の簡単な説明】
【００３０】
【図１】本発明の実施形態における表示器構造の概要図である。
【図２】本発明の実施例１における表示器構造の概要図である。
【図３】従来技術の表示器構造の概要図である。
【符号の説明】
【００３１】
１００  表示器
１１０  表示板
１１１  表示部
１２０、１２１  遮光壁
１２１ａ〜１２１ｉ  壁面
１３０  側壁
１４０  基板
１５０  光源
【図１】
2008116876.tif 000003
【図２】
2008116876.tif 000004
【図３】
2008116876.tif 000005